(57)【要約】【課題】従来のボディースーツに不可避であった用便時の違和感を回避しつつ、体の線を美しく整えるという本来の目的を達することのできるボディースーツを提供する。【解決手段】ボディースーツ１は胸部２と腰部３から構成され、腰部３は股部に股部開口部４、両脇に脇開口部５を有す。この様な腰部３の形態は、腰部３を主部３１、脚部３２、連結部３３から構成することにより達成される。ボディースーツ１は股部開口部４を設けることにより、用便時に特別の動作をすることなく用を足すことができ、かつ、股部開口部４を設けても、主部３１は連結部３３を介して脚部３２に連結されているので、体にフィットして体の線を美しく整えるボディースーツの本来の機能は維持される。【選択図】図３
2005226195.tif 000002
【特許請求の範囲】
【請求項１】
着用者のボディーラインを美しく整えるために、人体の胸部から腰部にかけて覆うとともに、腰部から股下部分にかけては開放させて形成したボディースーツ本体と、
足の付け根部分から下方を所定幅で覆うように形成した足被覆部と、を備え、前記ボディースーツ本体および前記足被覆部を連結させて、着用時のずり上がりを防止するとともに、用便時に着脱することなく用が足せるようにしたことを特徴とするボディースーツ。
【請求項２】
前記足被覆部を連結させる際には、連結部を前記ボディースーツ本体の下縁の両足前後部分に設け、前記足被覆部を前記ボディースーツ本体から吊り下げるようにして一体的に形成し、下腹部前方から股下部分にかけて臀部まで露出させ、且つ、両足の上部外側面が露出するようにしたことを特徴とする請求項１に記載のボディースーツ。
【発明の詳細な説明】
【技術分野】
【０００１】
本発明は、女性用ボディースーツに関し、特に、用便の容易な形態のボディースーツに関するものである。
【背景技術】
【０００２】
近年の経済発展に伴い金銭的に余裕の出来た女性の興味は、生活必需品から趣味、嗜好品へと移り、ファッションへの関心も高まってきた。ファッションへの関心は、当然、体の線を美しく見せるための各種ボディースーツを生み出す結果となっている。また、ボディースーツを着用する年令も若年層から中高令者層へと拡がっている。
【０００３】
ボディースーツは体にぴったりフィットしてボディーラインを美しく整える反面、ブラジャーとパンティー或いはガードルを連結して胸部から腰部まで一体化された下着であるので、用便の際に簡単には下にずらすことができない不便さがある。従って、一般には股下部が開閉できるようにホック等で止める構造になっている（例えば、特許文献１参照）。このような構造が、着用者に違和感を持たせ、特に中高年令者には着用を躊躇させる原因となっている。
【０００４】
上記のような用便時の違和感を緩和する方法として、股下部の開閉に用いる止め具を面状ファスナーとすると共に、ファスナー部に受け具と係止爪を設け、ファスナーの接合を簡便にしたもの、或いは、股下部を面状ファスナーで着脱自在にしたものがある（例えば、特許文献２、３参照）。しかし、この方法でもファスナーを開閉する動作をしなければならないという重圧感は依然として残る。
また、股下部に伸縮性をもたせ、ホック等を用いて開閉することなく、横に簡単にずらすことが可能なものがある（例えば、特許文献４参照）。しかし、この方法では用便中に股下部をずらして保持し続けなければならず、従来とは異なる嫌悪感が発生する。
【特許文献１】実開平２−１３２６０３号公報
【特許文献２】登録実用新案第３００９６９５号公報
【特許文献３】実開昭６３−３４１０３号公報
【特許文献４】特開平８−７４１０５号公報
【発明の開示】
【発明が解決しようとする課題】
【０００５】
本発明の目的は、従来のボディースーツに不可避であった用便時の違和感を回避しつつ、体の線を美しく整えるという本来の目的を達することのできるボディースーツを提供することである。
【課題を解決するための手段】
【０００６】
請求項１の発明に係るボディースーツは、着用者のボディーラインを美しく整えるために、人体の胸部から腰部にかけて覆うとともに、腰部から股下部分にかけては開放させて形成したボディースーツ本体と、足の付け根部分から下方を所定幅で覆うように形成した足被覆部と、を備え、前記ボディースーツ本体および前記足被覆部を連結させて、着用時のずり上がりを防止するとともに、用便時に着脱することなく用が足せるようにしたことを特徴とする。
【０００７】
また、請求項２に係るボディースーツは、前記足被覆部を連結させる際には、連結部を前記ボディースーツ本体の下縁の両足前後部分に設け、前記足被覆部を前記ボディースーツ本体から吊り下げるようにして一体的に形成し、下腹部前方から股下部分にかけて臀部まで露出させ、且つ、両足の上部外側面が露出するようにしたことを特徴とする。
【発明の効果】
【０００８】
本発明に係るボディースーツは、股部が開放された形態をなしているので、ボディースーツの上にパンティーを着用する必要があるが、用便時にボディースーツを脱いだり、股部のファスナーを着脱する必要がなく、通常通りパンティーを下げるだけの動作で用が足せる。従って、中高年令者でも違和感無く日常的に着用できる。
【発明を実施するための最良の形態】
【０００９】
以下、図面を用いて本発明に係るボディースーツを説明する。
図１は、本発明に係るボディースーツの基本形態を示す説明図で、正面から見た形態を示す。この図１に示すように、本発明のボディースーツ１は、人体の胸部から腰部にかけて覆うボディースーツ本体（胸部２及び主部３１で構成される）に、足の付け根部分から下方を所定幅で覆うように形成した足被覆部（脚部３２）を連結部３３で連結させて形成したものである。以下の説明では、主部３１、脚部３２、及び、連結部３３を合わせて腰部３と言う。
【００１０】
腰部３は個別の下着のパンティー或はガードルに相当する部分で、脚の付け根（大腿部）まで延びたセミロング形態（或いはロング形態）で、股部に股部開口部４を有し、主部３１、脚部３２、連結部３３から構成される。腰部３が脚部３２を有すセミロング形態である理由は、股部開口部４を設けることにより、股部でボディースーツ１が上方に引っ張られるのを防ぐことができないので、股部に代わって脚部３２がその役割を果たすためである。このような形態にすることより、ボディースーツ１は体にぴったりフィットして体の線を美しく見せる効果と、用便時の利便性が両立する。
【００１１】
図２は、本発明に係るボディースーツの別の形態を示す説明図で、図２（ａ）（ｂ）（ｃ）はそれぞれ正面、背面、側面（図２（ａ）の右側の側面）から見た形態を示す。図１と同じ部分には同じ参照符号を付してある。図２に示す形態は、図１に示す基本形態に脇開口部５を追加した形態で、その他は基本形態と同一である。以下、図２を用いて本発明に係るボディースーツを詳しく説明する。
【００１２】
ボディースーツ１は胸部２と腰部３から構成され、腰部３は股部に股部開口部４、両脇に脇開口部５を有す。脇開口部５は、右脇開口部５１と左脇開口部５２からなる。この様な腰部３の形態は、腰部３を主部３１、脚部３２、連結部３３から構成することにより達成される。
【００１３】
即ち、腰部３は主部３１と脚部３２が連結部３３で連結された形態であり、本実施例ではボディースーツ１の前面、背面にそれぞれ２ケ所づつ連結部３３を設けている。前右連結部３３１と背右連結部３３４に右脇開口部５１が挟まれ、また、前左連結部３３２と背左連結部３３３に左脇開口部５２が挟まれる形態となる。
【００１４】
図３は、本発明に係る図２に示したボディースーツを実際に女性が着用した形態を示し、図２と同じ部分には同じ参照符号を付してある。
図３に示すように、ボディースーツ１は股部開口部４を設けることにより、用便時に特別の動作をすることなく用を足すことができる。
【００１５】
また、股部開口部４を設けても、主部３１は連結部３３を介して着用者の脚にフィットした脚部３２に連結されているので、上方にずれることはない。従って、体にフィットして体の線を美しく整えるボディースーツの本来の機能は維持される。
【００１６】
脇開口部５は、座った時、用便時等の着用者が腰を曲げる時に、脚部３２が引き上げられるのを防ぐために設けたものである。図１に示す如く、左右の脇開口部５を無くした形態が基本形態であり、機能上は、脇開口部５を有する場合と変わりはない。しかし、開口部５が無い場合は、着用者が腰を曲げるとボディースーツ１の腰部３の連結部３３の両脇から背面にかかる部分が伸ばされ、脚部３２を上に引き上げられる力が働く。この力を緩和するために開口部５を設けることが好ましい。
【００１７】
股開口部４の大きさは、正面から見た場合、幅（図２（ａ）のＸ）は１０ｃｍ〜２５ｃｍ、丈方向（図２（ａ）のＹ）は３〜５ｃｍが適当である。
連結部３３１〜３３４の形状は、縦に長い長方形（短冊状）でもよいが、本実施例に示すように、その上下の幅を広くした糸巻き型が好ましい。その理由は、前述したように連結部３３１〜３３４は、主部３１が上方にずれないように下方に引っ張る機能を必要とするが、糸巻き型にすることによって主部３１が均一に引っ張られるようになり、かつ、腰を曲げた時に脚部３２が上方に引きずり上がられる力を最小限に留められるからである。
幅の最小部（図３のＷ）は３ｃｍ以上確保することが好ましい。
【００１８】
脚部３２の上端と着用者の股部の距離（図３のＨ）は３ｃｍ以上、好ましくは５ｃｍ以上確保する必要がある。その理由は、用便時にウォシュレット（商品名）型の洗浄器付き便器を使用した場合に、距離Ｈを十分確保しないと脚部３２が洗浄水で濡れるからである。着用時のＨはボディースーツの着用の仕方による個人差により多少は変化するが、着用者の体格に応じたボディースーツの寸法が規格化されており、規格に従ってボディースーツを求め、所定の着用の仕方をすれば、所定のＨが確保できるように設計される。
また、脚部３２の幅（図３のＬ）は、特に制限するものではないが、機能上３ｃｍ以上あるのが好ましく、着心地の観点からは、一般的には３〜５ｃｍが好ましい。
【００１９】
更に、脚部に靴下止めを設けガーターの機能を付加することも可能である。
【００２０】
ボディースーツ１の素材は特に限定するものではないが、伸縮性に富み、肌に触れて着心地のよいものが好ましく、シルク、ナイロン、ポリウレタン、綿等が用いられる。
【産業上の利用可能性】
【００２１】
本発明に係るボディースーツの形態は、その適用製品を洋服の下着に限定されることなく、和服用の下ばきとして用いても、着崩れ防止の効果が得られ、また、水着等の運動用ウエアにも応用可能であることは言うまでもない。
【図面の簡単な説明】
【００２２】
【図１】本発明に係るボディースーツの基本形態を示す説明図である。
【図２】（ａ）本発明に係るボディースーツの別の形態を示す正面から見た説明図である。（ｂ）本発明に係るボディースーツの別の形態を示す背面から見た説明図である。（ｃ）本発明に係るボディースーツの別の形態を示す背面から見た説明図である。
【図３】図２に示したボディースーツを実際に女性が着用した形態を示す。
【符号の説明】
【００２３】
１    ボディースーツ
２    胸部
３    腰部
４    股部開口部
５    脇部開口部
３１  主部
３２  脚部
３３  連結部
【図１】
2005226195.tif 000003
【図２】
2005226195.tif 000004
【図３】
2005226195.tif 000005